(57)【要約】      （修正有）【課題】ランプ本体が破損しても、人の手がＬＥＤ光熱モジュールに直接に接触することがないため、安全性を大いに向上させるアロマナイトライトを提供する。【解決手段】頂部にアロマオイル収容領域３が設けられているランプ本体１と、ランプ本体１内に設けられているＬＥＤ光熱モジュール２とを備えるアロマナイトライトであって、保護カバー４をさらに備え、ＬＥＤ光熱モジュール２とアロマオイル収容領域３とは共通のランプ壁を有し、ＬＥＤ光熱モジュール２はランプ本体１の内壁に設けられており、保護カバー４はＬＥＤ光熱モジュール２を覆う。組立後、保護カバー４は、基板２１にぴったりと嵌められ、ＬＥＤ光熱モジュール２の破壊を回避する一方、ランプ本体１が破損しても、人の手がＬＥＤ光熱モジュール２に直接に接触することがない。【選択図】図２
0003221272.tif 000002
【実用新案登録請求の範囲】
【請求項１】
頂部にアロマオイル収容領域（3）が設けられているランプ本体（1）と、前記ランプ本体内に設けられているLED光熱モジュール（2）とを備えるアロマナイトライトであって、保護カバー（4）をさらに備え、前記LED光熱モジュール（2）と前記アロマオイル収容領域（3）とは、共通のランプ壁を有し、前記LED光熱モジュール（2）は、前記ランプ本体（1）の内壁に設けられており、前記保護カバー（4）は前記LED光熱モジュール（2）を覆うことを特徴とするアロマナイトライト。
【請求項２】
前記保護カバー（4）内に設けられているヒューズ素子（5）をさらに備えることを特徴とする請求項1に記載のアロマナイトライト。
【請求項３】
前記ランプ本体（1）の下端に設けられているプラグスイッチユニット（6）をさらに備え、前記プラグスイッチユニット（6）は、プラグスイッチベース（61）と、前記プラグスイッチベース（61）の内部に設けられている栓刃（62）と、前記栓刃（62）と繋がる電源ケーブル（63）とを含み、前記電源ケーブル（63）は前記LED光熱モジュール（2）及びヒューズ素子（5）に電気的に接続されていることを特徴とする請求項2に記載のアロマナイトライト。
【請求項４】
前記プラグスイッチユニット（6）は、セパレータ（64）をさらに備え、前記セパレータ（64）は前記プラグスイッチベース（61）上に設けられており、前記栓刃（62）は前記セパレータ（64）と前記プラグスイッチベース（61）で形成された空間内に位置し、前記セパレータ（64）には、前記電源ケーブル（63）を通すためのケーブル穴（641）が設けられていることを特徴とする請求項3に記載のアロマナイトライト。
【請求項５】
前記プラグスイッチベース（61）の上端の周縁に、少なくとも1つの係止溝（611）が形成されており、前記ランプ本体（1）の下端は、前記係止溝（611）に係止されていることを特徴とする請求項3又は4に記載のアロマナイトライト。
【請求項６】
アロマオイルトレイ（31）をさらに備え、前記アロマオイル収容領域（3）は、前記ランプ本体（1）の頂部において凹む領域であり、前記アロマオイル収容領域（3）の横断面は逆台形をなし、前記アロマオイルトレイ（31）の形状は前記アロマオイル収容領域（3）の形状に対応していることを特徴とする請求項1ないし4のいずれか一項に記載のアロマナイトライト。
【請求項７】
前記LED光熱モジュール（2）は、アルミニウム又はセラミックを材質とする基板（21）と、基板（21）上に設けられている発光LED電球（22）とを含み、前記基板（21）は前記ランプ本体（1）の内壁に設けられていることを特徴とする請求項5に記載のアロマナイトライト。
【請求項８】
前記保護カバー（4）の上端にフランジ（41）が設けられており、前記フランジ（41）は、前記基板（21）にぴったりと嵌められ、前記保護カバー（4）には、通気穴（42）が設けられており、前記保護カバー（4）の材質は耐衝撃材質であることを特徴とする請求項7に記載のアロマナイトライト。
【考案の詳細な説明】
【技術分野】
【０００１】
本実用新案は、ランプ製造の技術分野に関し、具体的には、アロマナイトライト及びアロマランプシリーズ製品に関する。
【背景技術】
【０００２】
現在において、LEDの発光により熱エネルギーを発生させるLEDアロマナイトライトは幅広く使われており、熱エネルギーをランプ本体を介してアロマオイル領域に伝達することにより、アロマオイルを蒸発させ香気を発生させる。
しかし、通常のLEDアロマナイトライトは安全性が低く、不注意でランプ本体が破裂した場合に、LED光熱モジュールが完全に外に露出し、接触する時の安全が懸念される。
【考案の概要】
【０００３】
本実用新案の主な目的は、上記の欠点を克服し、使用時の安全性を高めることができるアロマナイトライトを提供することにある。
【０００４】
上記目的を実現するために、本実用新案は次の技術方案を採用する。
頂部にアロマオイル収容領域が設けられているランプ本体と、前記ランプ本体内に設けられているLED光熱モジュールとを備えるアロマナイトライトであって、保護カバーをさらに備え、前記LED光熱モジュールと前記アロマオイル収容領域とは共通のランプ壁を有し、前記LED光熱モジュールは前記ランプ本体の内壁に設けられており、前記保護カバーは前記LED光熱モジュールを覆うアロマナイトライト、とする。
【０００５】
上記技術方案において、前記保護カバー内に設けられているヒューズ素子をさらに備える。
【０００６】
上記技術方案において、前記ランプ本体の下端に設けられているプラグスイッチユニットをさらに備え、前記プラグスイッチユニットは、プラグスイッチベースと、前記プラグスイッチベースの内部に設けられている栓刃と、前記栓刃と繋がる電源ケーブルとを含み、前記電源ケーブルは前記LED光熱モジュール及びヒューズ素子に電気的に接続されている。
【０００７】
上記技術方案において、前記プラグスイッチユニットは、セパレータをさらに備え、前記セパレータは前記プラグスイッチベース上に設けられており、前記栓刃は前記セパレータと前記プラグスイッチベースで形成された空間内に位置し、前記セパレータには、前記電源ケーブルを通すためのケーブル穴が設けられている。
【０００８】
上記技術方案において、前記プラグスイッチベースの上端の周縁に、少なくとも1つの係止溝が形成されており、前記ランプ本体の下端は、前記係止溝に係止されている。
【０００９】
上記技術方案において、アロマオイルトレイをさらに備え、前記アロマオイル収容領域は、前記ランプ本体の頂部において凹む領域であり、前記アロマオイル収容領域の横断面は逆台形をなし、前記アロマオイルトレイの形状は前記アロマオイル収容領域の形状に対応している。
【００１０】
上記技術方案において、前記LED光熱モジュールは、アルミニウム又はセラミックを材質とする基板と、前記基板上に設けられている発光LED電球とを含み、前記基板は前記ランプ本体の内壁に設けられている。
【００１１】
上記技術方案において、前記保護カバーの上端にフランジが設けられており、前記フランジは前記基板に嵌められ、前記保護カバーに、通気穴が設けられており、前記保護カバーの材質は耐衝撃材質である。
【００１２】
上記技術方案を採用すれば、組立後、保護カバーは、基板にぴったりと嵌められるとともに、セパレータがプラグスイッチベース上に設けれているので、ランプ本体が割れた場合に、保護カバーは基板から抜け落ち難く、破れ難い。これにより、LED光熱モジュールの破壊を回避する一方、ランプ本体が破損しても、人の手がLED光熱モジュールに直接に接触することがないため、安全性を大いに向上させることができる。
【図面の簡単な説明】
【００１３】
【図１】本実用新案に係る斜視分解模式図である。
【図２】本実用新案に係る斜視構造模式図である。
【図３】本実用新案に係る一部の部品の斜視分解模式図である。
【考案を実施するための形態】
【００１４】
以下に、図面を参照しながら本実用新案をさらに詳しく説明する。
実施例
【００１５】
図1に示すように、本実用新案は、頂部にアロマオイル収容領域3が設けられているランプ本体1と、ランプ本体1内に設けられているLED光熱モジュール2とを備えるアロマナイトライトを開示する。
【００１６】
図1、図2に示すように、本実施例においては、さらに保護カバー4を備え、LED光熱モジュール2とアロマオイル収容領域3とは、共通のランプ壁を有し、LED光熱モジュール2は、アルミニウム又はセラミックを材質とする基板21と、その上に設けられている発光LED電球22とを備え、基板21はランプ本体1の内壁に設けられている。保護カバー4の上端には、基板21にぴったりと嵌められるフランジ41が設けられており、保護カバー4は耐衝撃の透明カバーであり、保護カバー4により、光熱モジュール2の破壊が回避される。また、保護カバー4の下端には、放熱機能を有する通気穴42が設けられていることにより、保護カバー4が過熱されることを防止する。
【００１７】
図2に示すように、保護カバー4内には、ヒューズ素子5が設けられており、本実施例において、ヒューズ素子5はヒューズチューブであり、基板21に溶接されている。該アロマナイトライトの使用時において、電流が所定の大きさになる場合、また、所定の温度に上昇した場合、ヒューズチューブが電流を切断することにより、回路の安全作動が確保され、安全性が大いに高められる。
【００１８】
図1、図2に示すように、ランプ本体1の下端にはプラグスイッチユニット6が設けられており、プラグスイッチユニット6は、プラグスイッチベース61と、栓刃62と、栓刃62と繋がる電源ケーブル63と、セパレータ64とを含む。図3に示すように、本実施例において、プラグスイッチユニット6は、プラグ65及びスイッチ66をさらに含み、栓刃62は、栓刃621及び栓刃622を有し、栓刃621がプラグ65に設けられ、栓刃622がスイッチ66に設けられ、電源ケーブルは栓刃621及び栓刃622に電気的に接続されている。セパレータ64は、プラグスイッチベース61上に設けられており、栓刃62はセパレータ64とプラグスイッチベース61で形成される空間内に位置し、セパレータ64により、プラグスイッチユニット6の内部部材が外に晒されない。セパレータ64には、栓刃62と繋がる電源ケーブル63を通すためのケーブル穴641が設けられており、電源ケーブル63は2本あり、一方の電源ケーブルが基板21に電気的に接続され、他方の電源ケーブルがヒューズ素子5に電気的に接続されている。また、本実施例において、プラグスイッチベース61の上端の周縁に、係止溝611が6つ設けられており、ランプ本体1の下端は係止溝611に係止されている。
【００１９】
図1に示すように、アロマオイル収容領域3はランプ本体1の頂部において凹む領域であり、アロマオイル収容領域3の横断面は逆台形をなし、アロマオイル収容領域3上にはアロマオイルトレイ31が設けられており、アロマオイルトレイ31の形状は前記アロマオイル収容領域3の形状に対応している。アロマオイルの使用後、アロマオイルトレイ31を直接に取り出して洗浄することができ、洗浄が便利である。本実施例において、アロマオイルトレイ31はアルミニウム製品である。
【００２０】
組立後、保護カバー4は基板21にぴったりと嵌められ、光熱モジュール2の破壊を回避できる一方、ランプ本体が破損しても、人の手がLED光熱モジュールに直接接触することはない。セパレータ64はプラグスイッチベース61上に設けられており、セパレータ64により、プラグスイッチユニット6の内部部材を外に晒さず、安全性を向上させる。ヒューズ素子5は基板21及び電源ケーブル63に電気的に接続されている。該アロマナイトライトの使用時に、電流が所定の大きさになる場合、また、所定の温度に上昇した場合、ヒューズチューブ5が電流を切断することにより、回路の安全作動を確保し、安全性を大いに高める。アロマオイル収容領域3にアロマオイルトレイ31が設けられることにより、アロマオイル使用後の洗浄が便利になる。
【００２１】
本実用新案は、保護カバー、ヒューズ素子、及びセパレータを付け加えることにより、該アロマナイトライトの使用時の安全性を大に高めたとともに、アロマオイルトレイを設けることにより、洗浄を便利にした。
【００２２】
以上の実施例は、本実用新案を制限するためのものではなく、本実用新案を説明するためのものであるので、本実用新案の特許請求の範囲に記載されている方法に基づいてなされる等価な変化又は修飾は、いずれも本実用新案の特許請求の範囲に含まれる。
【図１】
0003221272.tif 000003
【図２】
0003221272.tif 000004
【図３】
0003221272.tif 000005